(57)【特許請求の範囲】
【請求項１】
放射線画像記録担体を収容する筐体と、
前記筐体の一部分に開閉自在に装着される蓋体と、
前記筐体の残余の部分に配設されるとともに、一端に前記蓋体を揺動可能に設ける遮光板と、
前記遮光板の他端側を、前記筐体に対して着脱自在にあるいは揺動自在に支持する支持手段と、
前記遮光板の一端側を前記筐体に対して固定するとともに、外力によりスライドして該遮光板の固定を解除可能なロック手段と、
前記蓋体の一端側を前記筐体に対して固定するとともに、外力によりスライドして該蓋体の固定を解除可能な蓋体ロック手段と、
を備え、
前記ロック手段のスライド方向と、前記蓋体ロック手段のスライド方向とが、交差する方向であることを特徴とする放射線カセッテ。
【請求項２】
請求項１記載の放射線カセッテにおいて、前記ロック手段に係合し、該ロック手段による前記遮光板の固定を解除可能なロック解除手段を備えることを特徴とする放射線カセッテ。
【発明の詳細な説明】
【０００１】
【発明の属する技術分野】
本発明は、放射線画像記録担体を収容する筐体の一部分に蓋体が開閉自在に装着される放射線カセッテに関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、通常、シート状に構成されて蓄積性蛍光体シートとして使用されている。
【０００４】
一方、人体等の被写体に放射線、例えば、Ｘ線を照射してこの被写体の放射線画像情報を写真フイルムに直接記録する作業が行われている。そして、この写真フイルムに現像処理が施されることにより可視画像が得られ、この可視画像を使用して医療診断等がなされている。
【０００５】
上記の蓄積性蛍光体シートや写真フイルム等の放射線画像記録担体は、通常、１枚ずつカセッテに収容された状態で撮影装置に装填され、このカセッテを通して前記放射線画像記録担体にＸ線が照射されている。
【０００６】
この種のカセッテとしては、例えば、特公平６−９０４２４号公報に開示されたカセッテが知られている。上記のカセッテは、図１３に示すように、放射線画像記録担体１を収容する筐体２と、この筐体２の一部分に開閉自在に装着される蓋体３と、前記筐体２の残余の部分に配設されて前記蓋体３と共に前記放射線画像記録担体１を光密に保持する遮光板４とを備えている。
【０００７】
【発明が解決しようとする課題】
ところで、カセッテの内部に塵埃等が存在していると、放射線画像記録担体１にこの塵埃等が付着してしまい、放射線の照射によって前記放射線画像記録担体１に不良画像が記録されるおそれがある。このため、特にマンモカセッテ等のように高品質画像が求められる場合には、カセッテの内部を頻繁に清掃する必要がある。
【０００８】
しかしながら、上記のカセッテでは、通常、遮光板４が筐体２に複数のねじを介して固定されており、この遮光板４の取り外し作業が相当に煩雑なものとなっている。これにより、カセッテの内部を清掃する作業に相当な時間がかかるという問題が指摘されている。
【０００９】
本発明はこの種の問題を解決するものであり、筐体の一部分に蓋体が開閉自在に装着される放射線カセッテの内部を、簡単な作業で効率的に清掃することが可能な放射線カセッテを提供することを目的とする。
【００１０】
【課題を解決するための手段】
本発明に係る放射線カセッテは、放射線画像記録担体を収容する筐体と、前記筐体の一部分に開閉自在に装着される蓋体と、前記筐体の残余の部分に配設されるとともに、一端に前記蓋体を揺動可能に設ける遮光板と、前記遮光板の他端側を、前記筐体に対して着脱自在にあるいは揺動自在に支持する支持手段と、前記遮光板の一端側を前記筐体に対して固定するとともに、外力によりスライドして該遮光板の固定を解除可能なロック手段と、前記蓋体の一端側を前記筐体に対して固定するとともに、外力によりスライドして該蓋体の固定を解除可能な蓋体ロック手段とを備え、前記ロック手段のスライド方向と、前記蓋体ロック手段のスライド方向とが、交差する方向であることを特徴とする。
【００１１】
このため、ロック手段を進退動作させるだけで、遮光板は筐体に対して着脱自在あるいは揺動自在になり、この筐体の内部を迅速かつ容易に清掃することが可能になる。従って、従来のねじ止め方式に比べて、遮光板の開閉作業が一挙に効率的に遂行される。
【００１２】
また、ロック手段に係合してこのロック手段による遮光板の固定を解除可能なロック解除手段を備えている。これにより、特にマンモカセッテ等のように頻繁に清掃を行う必要がある際に、ロック解除手段を操作するだけで遮光板の固定を解除することができ、前記遮光板の固定解除作業が一層容易かつ迅速に遂行される。
【００１３】
【発明の実施の形態】
図１は、本発明の第１の実施形態に係る放射線カセッテ１０の分解斜視説明図であり、図２は、前記放射線カセッテ１０の斜視図である。
【００１４】
放射線カセッテ１０は、蓄積性蛍光体シート（放射線画像記録担体）１２を収容する筐体１４と、前記筐体１４の一部分に開閉自在に装着される蓋体１６と、前記筐体１４の残余の部分に配設されるとともに、一端１８ａに前記蓋体１６を揺動自在に設ける遮光板１８と、前記遮光板１８の他端１８ｂ側を前記筐体１４に対して着脱自在に支持する支持手段２０と、前記遮光板１８の一端１８ａ側を前記筐体１４に対して固定するとともに、外力により進退して該遮光板１８の固定を解除可能なロック手段２２とを備える。
【００１５】
筐体１４は、底壁部２４と、蓄積性蛍光体シート１２の挿入方向（矢印Ａ方向）の上流側および下流側に設けられる端壁部２６ａ、２６ｂと、前記挿入方向に沿って延在する側壁部２８ａ、２８ｂとを備える。端壁部２６ａには、蓄積性蛍光体シート１２の挿入および取り出しを行うための開口部３０が形成されるとともに、この開口部３０の両側には、後述する蓋体ロック手段４６を解除するための押圧ピン挿入用孔部３２ａ、３２ｂが前記端壁部２６ａを貫通して形成される。
【００１６】
遮光板１８は、筐体１４の上部を閉塞するとともに、ヒンジ３３を介してこの筐体１４に着脱自在に装着されている。遮光板１８の裏面１８ｃには、幅方向両端縁部に位置して下方に膨出する上側フック３４ａ、３４ｂが形成される。筐体１４には、前記上側フック３４ａ、３４ｂに係合自在な下側フック３６ａ、３６ｂが設けられる。
【００１７】
図３および図４に示すように、下側フック３６ａ、３６ｂは、筐体１４の側壁部２８ａ、２８ｂの内側とガイド板３８ａ、３８ｂとの間に配置されており、それぞれ内方に突出する膨出部４０ａ、４０ｂを備えている。下側フック３６ａ、３６ｂには、矢印Ａ方向に長尺な長円状貫通孔４１ａ、４１ｂが設けられ、この貫通孔４１ａ、４１ｂに第１止め具４２ａ、４２ｂが挿入されて前記第１止め具４２ａ、４２ｂが筐体１４内に螺合されることにより、前記下側フック３６ａ、３６ｂが矢印Ａ方向に所定距離だけ進退自在に支持される。
【００１８】
下側フック３６ａ、３６ｂには、スプリング４４ａ、４４ｂの一端が係合するとともに、前記スプリング４４ａ、４４ｂの他端側が、蓋体ロック手段４６を構成するスライダ４８ａ、４８ｂに形成された孔部５０ａ、５０ｂに挿入される。スライダ４８ａ、４８ｂには、矢印Ａ方向に長尺な長円状貫通孔５２ａ、５２ｂが形成され、前記貫通孔５２ａ、５２ｂに挿入される第２止め具５４ａ、５４ｂが筐体１４にねじ込まれることにより、前記スライダ４８ａ、４８ｂが矢印Ａ方向に所定距離だけ進退自在に支持される。
【００１９】
スライダ４８ａ、４８ｂの先端には、筐体１４の孔部３２ａ、３２ｂに挿入自在な円柱状のピン当接部５６ａ、５６ｂが設けられるとともに、前記ピン当接部５６ａ、５６ｂから後方（矢印Ａ１方向）に所定距離だけ離間して下側ロック爪５８ａ、５８ｂが膨出形成される。スライダ４８ａ、４８ｂの下側ロック爪５８ａ、５８ｂから後方に離間した位置には、上方に立ち上がって押圧部６０ａ、６０ｂが膨出形成される。
【００２０】
遮光板１８には、一端１８ａ側に位置してロック手段２２による前記遮光板１８の固定をワンタッチで解除可能なロック解除手段６２が設けられる。図１および図３に示すように、ロック解除手段６２は、スプリング６４ａ、６４ｂを介して後方（矢印Ａ１方向）に付勢されるロック解除用ノブ６６ａ、６６ｂを備え、前記ノブ６６ａ、６６ｂが遮光板１８の一端１８ａ側の両側部に進退自在に配設される。ノブ６６ａ、６６ｂの下部にレバー６８ａ、６８ｂが設けられ、前記レバー６８ａ、６８ｂの先端が下側フック３６ａ、３６ｂのそれぞれ内方に突出する膨出部４０ａ、４０ｂに係合自在である。
【００２１】
遮光板１８と筐体１４には、この遮光板１８を前記筐体１４に対して位置決め保持するための位置決め手段７０が設けられる。図１に示すように、位置決め手段７０は、遮光板１８の両側部に設けられる切欠部７２ａ、７２ｂと、筐体１４の側壁部２８ａ、２８ｂの内方に設けられて前記切欠部７２ａ、７２ｂに挿入自在なストッパ部７４ａ、７４ｂとを備える。
【００２２】
遮光板１８の一端１８ａには、ヒンジ７６を介して蓋体１６が一体的に設けられており、この蓋体１６が筐体１４に開閉可能に装着される。蓋体１６には、バーコード読み取り用窓部７８が形成されるとともに、この窓部７８の両側には蓋体ロック手段４６を構成するロック解除用ノブ８０ａ、８０ｂがスプリング８２ａ、８２ｂを介して前方（矢印Ａ２方向）に押圧されている。
【００２３】
図３に示すように、ノブ８０ａ、８０ｂの下部には、スライダ４８ａ、４８ｂの押圧部６０ａ、６０ｂと下側ロック爪５８ａ、５８ｂとの間に挿入されるロック解除板８４ａ、８４ｂが設けられる。蓋体１６の裏面１６ａには、スライダ４８ａ、４８ｂの下側ロック爪５８ａ、５８ｂに係合自在な上側ロック爪８６ａ、８６ｂが形成される。
【００２４】
このように構成される放射線カセッテ１０の動作について、以下に説明する。
【００２５】
放射線カセッテ１０内に放射線画像情報を記録前の蓄積性蛍光体シート１２を挿入する際には、操作者が蓋体１６に設けられている蓋体ロック手段４６を構成するノブ８０ａ、８０ｂを直接操作し、あるいは図示しない装填装置内で、図４に示すように、ロック解除ピン９０を筐体１４の孔部３２ａ、３２ｂに挿入することにより、前記蓋体ロック手段４６の解除が行われる。
【００２６】
具体的には、ノブ８０ａ、８０ｂが、図３中、矢印Ａ１方向に押圧されると、このノブ８０ａ、８０ｂと一体的にロック解除板８４ａ、８４ｂがスプリング８２ａ、８２ｂの弾性力に抗して矢印Ａ１方向に移動する。このため、ロック解除板８４ａ、８４ｂがスライダ４８ａ、４８ｂを構成する押圧部６０ａ、６０ｂを矢印Ａ１方向に押圧し、前記スライダ４８ａ、４８ｂがスプリング４４ａ、４４ｂに抗して矢印Ａ１方向に移動する。従って、下側ロック爪５８ａ、５８ｂが上側ロック爪８６ａ、８６ｂから離脱し、蓋体ロック手段４６が解除されて蓋体１６が筐体１４に対し開放可能になる。
【００２７】
一方、ロック解除ピン９０による自動ロック解除では、図４に示すように、このロック解除ピン９０が孔部３２ａ、３２ｂに挿入されてスライダ４８ａ、４８ｂのピン当接部５６ａ、５６ｂを矢印Ａ１方向に押圧する。このため、スライダ４８ａ、４８ｂは、スプリング４４ａ、４４ｂに抗して矢印Ａ１方向に移動し、下側ロック爪５８ａ、５８ｂが上側ロック爪８６ａ、８６ｂから離脱して蓋体１６が開放可能な状態となる。
【００２８】
次いで、蓋体１６が筐体１４に対してヒンジ７６を支点に開放されると、筐体１４の開口部３０が開放され、この開口部３０を介して蓄積性蛍光体シート１２が前記筐体１４内に挿入される。そこで、蓋体１６が筐体１４側に押圧されると、この蓋体１６の裏面１６ａに設けられている上側ロック爪８６ａ、８６ｂが、スライダ４８ａ、４８ｂに設けられている下側ロック爪５８ａ、５８ｂに当接し、前記下側ロック爪５８ａ、５８ｂが矢印Ａ１方向に押圧される。
【００２９】
これにより、スライダ４８ａ、４８ｂが、一旦矢印Ａ１方向に移動した後にスプリング４４ａ、４４ｂを介して矢印Ａ２方向に移動し、下側ロック爪５８ａ、５８ｂと上側ロック爪８６ａ、８６ｂとが係合して蓋体１６が筐体１４に固定される。
【００３０】
蓄積性蛍光体シート１２が収容された放射線カセッテ１０は、図示しない画像記録装置に装填され、この放射線カセッテ１０の底壁部２４側から図示しない被写体の放射線画像情報を含む放射線が照射され、前記蓄積性蛍光体シート１２にこの放射線画像情報が記録される。
【００３１】
ところで、筐体１４から遮光板１８および蓋体１６を取り外してこの筐体１４内の清掃等を行う際には、まず、前記蓋体１６に設けられているノブ８０ａ、８０ｂがスプリング８２ａ、８２ｂに抗して矢印Ａ１方向に移動され、蓋体ロック手段４６を解除する（図５参照）。次に、図３に示すように、遮光板１８に設けられているノブ６６ａ、６６ｂがスプリング６４ａ、６４ｂに抗して矢印Ａ２方向に押圧されると、このノブ６６ａ、６６ｂに一体的に固定されているレバー６８ａ、６８ｂも矢印Ａ２方向に移動する。
【００３２】
このため、レバー６８ａ、６８ｂは、ロック手段２２を構成する下側フック３６ａ、３６ｂに設けられている膨出部４０ａ、４０ｂに当接し、この膨出部４０ａ、４０ｂを介して前記下側フック３６ａ、３６ｂをスプリング４４ａ、４４ｂに抗して矢印Ａ２方向に移動させる。従って、下側フック３６ａ、３６ｂは、遮光板１８に設けられている上側フック３４ａ、３４ｂから離脱し、ロック手段２２による遮光板１８のロック状態が解放される（図６参照）。そこで、遮光板１８の他端１８ｂをヒンジ３３から引き抜けば、この遮光板１８と蓋体１６とが一体的に筐体１４から取り外されることになる。
【００３３】
一方、遮光板１８および蓋体１６を筐体１４に装着する際には、この遮光板１８の他端１８ｂをヒンジ３３に押し込んだ後、前記遮光板１８の一端１８ａ側を前記筐体１４側に押し付ける。このため、遮光板１８の裏面１８ｃに設けられている上側フック３４ａ、３４ｂが下側フック３６ａ、３６ｂに当接し、この下側フック３６ａ、３６ｂがスプリング４４ａ、４４ｂに抗して一旦矢印Ａ２方向に移動した後、前記下側フック３６ａ、３６ｂが矢印Ａ１方向に移動して前記上側フック３４ａ、３４ｂに係合する。さらに蓋体１６を筐体１４側に押し付けることにより、上側ロック爪８６ａ、８６ｂと下側ロック爪５８ａ、５８ｂが係合し、前記蓋体１６が前記筐体１４に固定される。
【００３４】
このように、第１の実施形態では、遮光板１８が他端１８ｂをヒンジ３３に挿入して筐体１４に支持されるとともに、この遮光板１８の一端１８ａ側と前記筐体１４とにロック手段２２が設けられており、このロック手段２２はロック解除手段６２を操作するだけでワンタッチでロック解除を行うことができる。このため、遮光板１８を筐体１４から取り外す作業が、ねじ止め方式による従来構造に比べて一挙に迅速かつ容易に遂行されるという効果が得られる。
【００３５】
しかも、遮光板１８を筐体１４側に押し付けるだけで、ロック手段２２を介してこの遮光板１８を前記筐体１４に固定することができる。これにより、遮光板１８の着脱作業が迅速に遂行され、特にマンモカセッテのように放射線カセッテ１０の内部を頻繁に清掃する必要がある場合にも、この放射線カセッテ１０の清掃作業が有効に簡素化するという利点がある。
【００３６】
また、第１の実施形態では、筐体１４と遮光板１８に位置決め手段７０が設けられている。この位置決め手段７０は、筐体１４に形成されたストッパ部７４ａ、７４ｂと、遮光板１８に設けられた切欠部７２ａ、７２ｂとを備えており、前記遮光板１８が前記筐体１４に固定される際に前記切欠部７２ａ、７２ｂに前記ストッパ部７４ａ、７４ｂが嵌合する。これにより、遮光板１８を筐体１４に対して正確かつ強固に位置決め保持することが可能になる。
【００３７】
なお、第１の実施形態では、遮光板１８の他端１８ｂがヒンジ３３に対して着脱自在であるが、この他端１８ｂを前記ヒンジ３３と一体的に構成し、あるいは他のヒンジ構造を用いて筐体１４に対して揺動自在に構成してもよい。
【００３８】
図７は、本発明の第２の実施形態に係る放射線カセッテ１００の分解斜視説明図である。なお、第１の実施形態に係る放射線カセッテ１０と同一の構成要素には同一の参照符号を付してその詳細な説明は省略する。また、以下に説明する第３乃至第５の実施形態に係る放射線カセッテ１２０、１５０および１７０においても同様である。
【００３９】
この放射線カセッテ１００では、ロック解除手段６２を用いておらず、ロック手段２２を構成する下側フック３６ａ、３６ｂを図示しないピン等によって、直接、矢印Ａ２方向に移動させ、前記ロック手段２２による遮光板１８のロック状態を解除するように構成されている。
【００４０】
従って、第２の実施形態の放射線カセッテ１００は、マンモカセッテと異なり、清掃作業をさほど頻繁に行う必要のない場合に有効に用いることができる。これにより、この第２の実施形態に係る放射線カセッテ１００は、第１の実施形態に係る放射線カセッテ１０に比べ、構成が有効に簡素化されるという効果が得られる。
【００４１】
図８は、本発明の第３の実施形態に係る放射線カセッテ１２０の分解斜視説明図であり、図９は前記放射線カセッテ１２０の斜視図である。
【００４２】
この放射線カセッテ１２０は、筐体１４に対して揺動自在な遮光板１２２を備え、この遮光板１２２の他端１２２ｂがヒンジ１２４に固定されている。遮光板１２２の一端１２２ａ側には、この遮光板１２２を筐体１４に対して固定するとともに、外力により進退して該遮光板１２２の固定を解除可能なロック手段１２６が設けられる。
【００４３】
ロック手段１２６は、筐体１４の両側部に形成される凹部１２８ａ、１２８ｂと、矢印Ｂ方向に進退変位して前記凹部１２８ａ、１２８ｂに係脱自在なロック部材１３０ａ、１３０ｂとを備える。このロック部材１３０ａ、１３０ｂは、遮光板１２２の裏面１２２ｃ側に位置してスプリング１３２ａ、１３２ｂを介し互いに筐体１４の側壁部２８ａ、２８ｂ側に付勢されている。
【００４４】
ロック部材１３０ａ、１３０ｂには、ロック解除手段１３４を構成するスライドノブ１３６ａ、１３６ｂが固着されるとともに、前記スライドノブ１３６ａ、１３６ｂが遮光板１２２の表面側に配設される。蓋体１６を筐体１４に固定するための蓋体ロック手段１３８は、筐体１４に固定されてスプリング４４ａ、４４ｂの端部を係止する支持部材１４０ａ、１４０ｂを備えている。
【００４５】
このように構成される放射線カセッテ１２０では、遮光板１２２を筐体１４に対して開放させる際に、蓋体ロック手段１３８による蓋体１６のロックを解除した状態で、ロック解除手段１３４を構成するスライドノブ１３６ａ、１３６ｂが互いに近接する方向に押圧される。このため、スライドノブ１３６ａ、１３６ｂに一体的に設けられているロック部材１３０ａ、１３０ｂが、筐体１４を構成する側壁部２８ａ、２８ｂに形成された凹部１２８ａ、１２８ｂから離脱する。これにより、ロック手段１２６による遮光板１２２のロック状態が解除され、この遮光板１２２がヒンジ１２４を支点にして揺動可能となる。
【００４６】
次に、筐体１４内の清掃作業等が行われた後、遮光板１２２を筐体１４側に閉動させる。その際、ロック手段１２６を構成するロック部材１３０ａ、１３０ｂが筐体１４の側壁部２８ａ、２８ｂに当接して互いに近接する方向に変位した後、凹部１２８ａ、１２８ｂ側に突出して前記遮光板１２２を前記筐体１４に対して固定する。さらに、蓋体１６が筐体１４側に閉動されることにより、蓋体ロック手段１３８を介してこの蓋体１６が前記筐体１４にロックされる。
【００４７】
なお、遮光板１２２を筐体１４側に閉じる際に、操作者がロック解除手段１３４を構成するスライドノブ１３６ａ、１３６ｂを強制的に互いに近接する方向に保持し、前記遮光板１２２が前記筐体１４に閉じられた状態で前記スライドノブ１３６ａ、１３６ｂへの押圧力を解除することにより、ロック手段１２６によるロック動作を行わせてもよい。
【００４８】
このように構成される第３の実施形態に係る放射線カセッテ１２０では、第１の実施形態に係る放射線カセッテ１０と同様に、ロック解除手段１３４を操作するだけでワンタッチでロック手段１２６によるロック解除が行われる。従って、遮光板１２２を筐体１４に対して迅速に揺動させることができ、この放射線カセッテ１２０の清掃作業等が効率的かつ容易に遂行されるという効果が得られる。
【００４９】
図１０は、本発明の第４の実施形態に係る放射線カセッテ１５０の分解斜視説明図である。
【００５０】
この放射線カセッテ１５０は、第３の実施形態に係る放射線カセッテ１２０と略同様に構成されており、遮光板１５２がヒンジ１５４を介して筐体１４に揺動自在に支持されるとともに、この遮光板１５２と前記筐体１４にロック手段１２６が設けられる。遮光板１５２はロック解除手段が設けられておらず、筐体１４を構成する側壁部２８ａ、２８ｂには、ロック部材１３０ａ、１３０ｂをそれぞれ内方に押圧するためのロック解除孔１５６ａ、１５６ｂが形成され、前記ロック解除孔１５６ａ、１５６ｂにロック解除ピン１５８ａ、１５８ｂが挿入自在である。遮光板１５２に揺動自在に取り付けられた蓋体１６は、蓋体ロック手段１３８を介して筐体１４に対し固定可能に構成されている。
【００５１】
このように構成される放射線カセッテ１５０では、遮光板１５２にロック解除手段が設けられておらず、構成が有効に簡素化するという利点が得られる。そして、この遮光板１５２を筐体１４から揺動させる際には、外部から、例えば、ロック解除ピン１５８ａ、１５８ｂがロック解除孔１５６ａ、１５６ｂに挿入され、このロック解除ピン１５８ａ、１５８ｂによりロック手段１２６を構成するロック部材１３０ａ、１３０ｂが互いに近接する方向に押圧される。
【００５２】
このため、ロック部材１３０ａ、１３０ｂが側壁部２８ａ、２８ｂの凹部１２８ａ、１２８ｂから離脱し、ロック手段１２６による遮光板１５２のロック状態が解除される。そこで、予め蓋体ロック手段１３８によるロックが解除されている蓋体１６と一体的に、遮光板１５２がヒンジ１５４を支点にして揺動され、筐体１４内の清掃作業等が遂行されることになる。
【００５３】
従って、第４の実施形態では、遮光板１５２を筐体１４に着脱する作業が一挙に簡単かつ迅速に遂行される等、第１乃至第３の実施形態と同様の効果が得られる。
【００５４】
図１１は、本発明の第５の実施形態に係る放射線カセッテ１７０の要部斜視説明図であり、図１２は前記放射線カセッテ１７０の要部断面図である。
【００５５】
この放射線カセッテ１７０は、筐体１４に対して揺動自在な遮光板１７２を備え、この遮光板１７２の揺動先端側には、前記遮光板１７２を筐体１４に対して固定するとともに、外力により進退して該遮光板１７２の固定を解除可能なロック手段１７４が設けられる。
【００５６】
ロック手段１７４は、筐体１４の両側部に固定される固定フック１７６ａ、１７６ｂと、矢印Ａ方向に進退変位して前記固定フック１７６ａ、１７６ｂに係脱自在な可動フック１７８ａ、１７８ｂと、遮光板１７２に設けられ、前記可動フック１７８ａ、１７８ｂと一体的に矢印Ａ方向に進退可能なロック解除手段１８０とを備える。
【００５７】
可動フック１７８ａ、１７８ｂは、遮光板１７２の裏面側に位置してスプリング１８２ａ、１８２ｂを介し固定フック１７６ａ、１７６ｂ側（矢印Ａ２方向）に付勢されている。この可動フック１７８ａ、１７８ｂには、ロック解除手段１８０を構成するスライドノブ１８４ａ、１８４ｂが固着されるとともに、前記スライドノブ１８４ａ、１８４ｂが遮光板１７２の表面側に配設される。
【００５８】
このように構成される放射線カセッテ１７０では、遮光板１７２を筐体１４に対して開放させる際に、蓋体ロック手段４６による蓋体１６のロックを解除した状態で、ロック解除手段１８０を構成するスライドノブ１８４ａ、１８４ｂが、スプリング１８２ａ、１８２ｂに抗して矢印Ａ１方向に押圧される。このため、スライドノブ１８４ａ、１８４ｂに一体的に設けられている可動フック１７８ａ、１７８ｂが、筐体１４に固定されている固定フック１７６ａ、１７６ｂから離脱する。これにより、ロック手段１７４による遮光板１７２のロック状態が解除される。
【００５９】
次に、筐体１４内の清掃作業等が行われた後、遮光板１７２を筐体１４側に閉動させる。その際、ロック手段１７４を構成する可動フック１７８ａ、１７８ｂは、固定フック１７６ａ、１７６ｂに当接して一旦矢印Ａ１方向に変位した後、矢印Ａ２方向に突出して前記固定フック１７６ａ、１７６ｂに係合する。従って、遮光板１７２が筐体１４に対して固定され、さらに蓋体１６が筐体１４側に閉動されることにより、蓋体ロック手段４６を介してこの蓋体１６が前記筐体１４にロックされる。
【００６０】
このように、第５の実施形態では、遮光板１７２を筐体１４に対して迅速に着脱することができ、放射線カセッテ１７０の清掃作業等が効率的かつ容易に遂行されるという効果が得られる。
【００６１】
【発明の効果】
本発明に係る放射線カセッテでは、一端に蓋体を揺動可能に設けて筐体に対し着脱自在あるいは揺動自在に支持される遮光板に、前記筐体に対してワンタッチでロック解除を行うロック手段が設けられており、前記遮光板の固定解除作業が一挙に簡単かつ短時間で遂行される。これにより、筐体内の清掃作業等が容易かつ効率的に遂行され、放射線カセッテのメンテナンスが有効に簡素化される。
【図面の簡単な説明】
【図１】本発明の第１の実施形態に係る放射線カセッテの分解斜視説明図である。
【図２】前記放射線カセッテの斜視図である。
【図３】前記放射線カセッテを構成するロック手段の斜視説明図である。
【図４】前記ロック手段の縦断面説明図である。
【図５】前記放射線カセッテを構成する蓋体ロック手段の動作説明図である。
【図６】前記ロック手段が解放される際の動作説明図である。
【図７】本発明の第２の実施形態に係る放射線カセッテの分解斜視説明図である。
【図８】本発明の第３の実施形態に係る放射線カセッテの分解斜視説明図である。
【図９】前記放射線カセッテの斜視図である。
【図１０】本発明の第４の実施形態に係る放射線カセッテの分解斜視説明図である。
【図１１】本発明の第５の実施形態に係る放射線カセッテの要部斜視説明図である。
【図１２】前記放射線カセッテの要部断面図である。
【図１３】従来技術に係るカセッテの縦断面説明図である。
【符号の説明】
１０、１００、１２０、１５０、１７０…放射線カセッテ
１２…蓄積性蛍光体シート          １４…筐体
１６…蓋体                        １８、１２２、１５２、１７２…遮光板
２０…支持手段                    ２２、１２６、１７４…ロック手段
３４ａ、３４ｂ…上側フック        ３６ａ、３６ｂ…下側フック
４０ａ、４０ｂ…膨出部
４４ａ、４４ｂ、６４ａ、６４ｂ、８２ａ、８２ｂ、１３２ａ、１３２ｂ、１８２ａ、１８２ｂ…スプリング
４６、１３８…蓋体ロック手段      ４８ａ、４８ｂ…スライダ
５８ａ、５８ｂ…下側ロック爪      ６０ａ、６０ｂ…押圧部
６２、１３４、１８０…ロック解除手段
６６ａ、６６ｂ、８０ａ、８０ｂ…ノブ
６８ａ、６８ｂ…レバー            ７０…位置決め手段
８６ａ、８６ｂ…上側ロック爪      １３０ａ、１３０ｂ…ロック部材
１３６ａ、１３６ｂ、１８４ａ、１８４ｂ…スライドノブ
１５６ａ、１５６ｂ…ロック解除孔  １７６ａ、１７６ｂ…固定フック
１７８ａ、１７８ｂ…可動フック
【図１】
0004028161.tif 000002
【図２】
0004028161.tif 000003
【図３】
0004028161.tif 000004
【図４】
0004028161.tif 000005
【図５】
0004028161.tif 000006
【図６】
0004028161.tif 000007
【図７】
0004028161.tif 000008
【図８】
0004028161.tif 000009
【図９】
0004028161.tif 000010
【図１０】
0004028161.tif 000011
【図１１】
0004028161.tif 000012
【図１２】
0004028161.tif 000013
【図１３】
0004028161.tif 000014